(57)【要約】      （修正有）【課題】広告布幕が受ける空気抵抗、特に瞬間的に発生した破壊的空気抵抗応力を効果的に緩衝して解消する、広告幕の防風モジュールを提供する。【解決手段】広告幕の防風モジュールは、基部１と、板状体２と、第一弾性緩衝構造３と、第二弾性緩衝構造とからなる。基部は、少なくとも一組のローラーユニット１５が設けられることによって、安定して支柱を線状に滑動できる。また、基部は、板状体に第一弾性緩衝構造が結合して設けられるとともに、外側に第二弾性緩衝構造が設けられる。第一弾性緩衝構造は、支柱に予め設けられた牽引ワイヤーと位置を決めて連結するとともに、基部に対する縦向き（Ｙ軸）の空気抵抗の緩衝機能を有する。第二弾性緩衝構造は、広告布幕と嵌合するとともに、広告布幕に対する横向き（Ｘ軸）及び前向き（Ｚ軸）の空気抵抗の緩衝機能を有する。【選択図】図３
0003183883.tif 000002
【実用新案登録請求の範囲】
【請求項１】
広告布幕の支柱に可動に取り付けられるとともに、基部と、板状体と、第一弾性緩衝構造とからなる広告幕の防風モジュールであって、
前記基部は、前記支柱に可動に取り付けられるとともに、第一壁面と、前記第一壁面の両側に向かい合って設けられた第二壁面及び第三壁面とを有し、
前記第一壁面と、前記第二壁面と、前記第三壁面は、共同で嵌め込みスペースを形成し、
前記基部は、更に、前記嵌め込みスペースに少なくとも一組、あるいは一組以上のローラーユニットが設けられ、
前記ローラーユニットは、第一ローラーと、第二ローラーと、第三ローラーとからなるとともに、前記第一ローラーは前記第一壁面に設けられ、前記第二ローラーは前記第二壁面に設けられ、前記第三ローラーは前記第三壁面に設けられ、
前記板状体は、前記基部の前記嵌め込みスペースの外側に結合するとともに、延伸した折り曲げ部と、第二穿孔が設けられ、前記第二穿孔の開口方向は前記基部と平行し、
前記第一弾性緩衝構造は、前記板状体の前記第二穿孔に結合して前記基部と平行するとともに、位置決めジョイントと、第一滑車と、第一棒体と、第一弾性部品と、第一ストッパーとからなり、
前記第一棒体は、前記第二穿孔に穿設されるとともに、両端に前記位置決めジョイントと前記第一ストッパーとがそれぞれ設けられ、前記第一棒体における前記第二穿孔と前記第一ストッパーの間に前記第一弾性部品が嵌められ、前記位置決めジョイントに前記第一滑車が軸接されることを特徴とする、広告幕の防風モジュール。
【請求項２】
前記広告幕の防風モジュールは更に第二弾性緩衝構造を備え、前記基部の外側には延伸部が設けられ、前記延伸部には第一穿孔が設けられ、前記第二弾性緩衝構造は、前記第一穿孔に結合することを特徴とする、請求項１に記載の広告幕の防風モジュール。
【請求項３】
前記第二弾性緩衝構造は、鉤ホックと、第二棒体と、第三棒体と、第二弾性部品と、第三弾性部品とからなり、
前記第二棒体と前記第三棒体は、互いに軸接されるとともに、前記第二棒体が前記鉤ホックに穿設され、前記第三棒体が前記第一穿孔に穿設され、
前記第二棒体は、末端に第二ストッパーが設けられ、前記第二棒体における前記鉤ホックと前記第二ストッパーの間に前記第二弾性部品が嵌められ、
前記第三棒体は、末端に第三ストッパーが設けられ、前記第三棒体における前記第一穿孔と前記第三ストッパーの間に前記第三弾性部品が嵌められることを特徴とする、請求項２に記載の広告幕の防風モジュール。
【請求項４】
前記広告幕の防風モジュールは更に接続部品を備え、前記接続部品は、前記板状体に結合することを特徴とする、請求項１に記載の広告幕の防風モジュール。
【考案の詳細な説明】
【技術分野】
【０００１】
本考案は、広告幕の防風モジュールに関し、特に、広告布幕の支柱に可動に取り付けられるとともに、基部に設けられたローラーユニットが支柱に設けられたレールに対応して沿うことによって、基部が安定して広告布幕の支柱を線状移動することができる、広告幕の防風モジュールに関する。
【背景技術】
【０００２】
大型の広告布幕は、ビルの上層や大型建築物の壁面といった高所において作業や設置が行われるため、相当に高い空気抵抗応力を受ける。通常直面する問題は、広告布幕をロープによって支柱の溝（あるいは、支柱の隙間）にそれぞれ結び付けることにより、広告布幕全体を引っ張って広げ、固定しなければならないということである。このような設置作業は、高度の危険性を伴い、労力と時間を要するだけでなく、特に、ロープを一度結んで固定してしまうと、角度の調整をしたり、たるみを調整することができなくなる。また、広告布幕は、異なる方向から高い空気抵抗による衝撃を受けた時、空気抵抗によって振動したり揺れ動いたりすることが避けられず、これにより生じた瞬間的な反作用力により、高い張力でロープが引っ張られる。ロープが耐え得る張力（応力）を超えた場合には、ロープが切れてしまい、それにより広告布幕が外れて翻ったり揺れたりして、高い危険性を招く。このほか、ロープによって広告布幕を結びつける方法において必要となる高所作業は、補修が困難であり、高い危険性を伴うだけでなく、高い補修コストを要する。
【考案の概要】
【考案が解決しようとする課題】
【０００３】
本考案は、専ら広告布幕の支柱に可動に取り付けられることによって、広告布幕が受ける空気抵抗、特に瞬間的に発生した破壊性を持つ空気抵抗応力を効果的に緩衝して解消する、広告幕の防風モジュールを提供することを目的とする。
【課題を解決するための手段】
【０００４】
上述の目的を達成するため、本考案の広告幕の防風モジュールは、基部と、板状体と、第一弾性緩衝構造と、第二弾性緩衝構造とからなる。前記基部は、少なくとも一組のローラーユニットが設けられることによって、安定して支柱を線状に滑動することができる。また、前記基部は、前記板状体に前記第一弾性緩衝構造が結合して設けられるとともに、外側に前記第二弾性緩衝構造が設けられる。前記第一弾性緩衝構造は、支柱に予め設けられた牽引ワイヤーと位置を決めて連結するとともに、基部に対する縦向き（Ｙ軸）の空気抵抗の緩衝機能を有する。前記第二弾性緩衝構造は、広告布幕と嵌合するとともに、広告布幕に対する横向き（Ｘ軸）及び前向き（Ｚ軸）の空気抵抗の緩衝機能を有する。このようにして、広告布幕に対して生じる、異なる方向からの空気抵抗応力と、瞬間的な破壊性を持った空気抵抗応力による衝撃を効果的に緩衝して解消することにより、広告布幕の耐用性を高めるとともに、空気抵抗による破損を減少させ、補修における優位性を高める。
【図面の簡単な説明】
【０００５】
【図１】本考案の広告幕の防風モジュールの使用実施例の概略図である。
【図２】本考案の広告幕の防風モジュールの使用実施例の一部を別の角度から示した斜視図である。
【図３】本考案の組み立てた広告幕の防風モジュールをある角度から示した斜視図である。
【図４】本考案の広告幕の防風モジュールを別の角度から示した分解図である。
【図５】本考案の広告幕の防風モジュールの実施例の概略図である。
【考案を実施するための形態】
【０００６】
本考案のその他の特徴及び利点の理解の手助けとし、達成される効能を表すために、添付図面を参照しながら詳細説明を行う。以下の実施例では、本考案の観点について更に一歩進んで詳細説明をするが、いずれかの観点によって本考案の範囲を制限するものではない。
【０００７】
図１、図２、図３、図４、図５を参照する。本考案の広告幕の防風モジュールは、広告布幕の支柱７に可動に取り付けられるとともに、基部１と、板状体２と、第一弾性緩衝構造３と、第二弾性緩衝構造４と、接続部品５とからなる。
【０００８】
基部１は、支柱７に可動に取り付けられるとともに、第一壁面１１と、第一壁面１１の両側に向かい合って設けられた第二壁面１２及び第三壁面１３とを有する。第一壁面１１と、第二壁面１２と、第三壁面１３は、共同で嵌め込みスペース１０を形成する。また、基部１は、嵌め込みスペース１０の外側に、延伸部１４が傾斜状に延伸して設けられる。延伸部１４には、第一穿孔１４１が設けられる。更に、基部１は、嵌め込みスペース１０の内部に、少なくとも一組、あるいは一組以上のローラーユニット１５が設けられる。ローラーユニット１５は、第一ローラー１５１と、第二ローラー１５２と、第三ローラー１５３とからなる。第一ローラー１５１は第一壁面１１に設けられ、第二ローラー１５２は第二壁面１２に設けられ、第三ローラー１５３は第三壁面１３に設けられる。このほか、基部１には、少なくとも一つの第一ねじ孔１６が設けられる。
【０００９】
板状体２は、基部１の嵌め込みスペース１０の外側に結合するとともに、基部１の外側に延伸して突出する。板状体２には、折り曲げ部２１が延伸するとともに折れ曲がって設けられる。折り曲げ部２１には、第二穿孔２１１が設けられ、第二穿孔２１１の開口方向は基部１と平行する。また、板状体２には、少なくとも一つの第二ねじ孔２２と、第三ねじ孔２３が設けられる。本考案の実施例において、板状体２は、一体成型によって基部１と結合する。あるいは、板状体２の第二ねじ孔２２を、基部１の対応する第一ねじ孔１６と係止部品６によって止め合わせることによって、板状体２が基部１に強固に結合する。
【００１０】
第一弾性緩衝構造３は、板状体２の第二穿孔２１１に結合するとともに、基部１と平行する。また、第一弾性緩衝構造３は、位置決めジョイント３１と、第一滑車３２と、第一棒体３３と、第一弾性部品３４と、第一ストッパー３５とからなる。第一棒体３３は、板状体２の第二穿孔２１１に穿設されるとともに、両端に位置決めジョイント３１と第一ストッパー３５とがそれぞれ設けられる。第一棒体３３は、更に、第二穿孔２１１と第一ストッパー３５の間に第一弾性部品３４が嵌められ、位置決めジョイント３１に第一滑車３２が軸接される。なお、本考案の実施例において、位置決めジョイント３１には、軸孔３１１と、軸孔３１１に嵌設された軸棒３１２とが設けられる。軸棒３１２が第一滑車３２と、軸孔３１１とに穿設することによって、第一滑車３２が位置決めジョイント３１に軸接される。このほか、位置決めジョイント３１には、更に接続スリーブ３１３が設けられ、接続スリーブ３１３によって第一棒体３３と連接される。
【００１１】
第二弾性緩衝構造４は、基部１の延伸部１４の第一穿孔１４１に結合するとともに、鉤ホック４１と、第二棒体４２と、第三棒体４３と、第二弾性部品４４と、第三弾性部品４５とからなる。第二棒体４２と第三棒体４３は互いに軸接されるとともに、第二棒体４２が鉤ホック４１に穿設され、第三棒体４３が第一穿孔１４１に穿設される。また、第二棒体４２の末端には第二ストッパー４２１が設けられ、第三棒体４３の末端には第三ストッパー４３１が設けられる。第二棒体４２における鉤ホック４１と第二ストッパー４２１の間には、第二弾性部品４４が嵌められる。第三棒体４３における第一穿孔１４１と第三ストッパー４３１の間には第三弾性部品４５が嵌められる。
【００１２】
前述した支柱７には、第一レール７１と、第二レール７２と、第三レール７３とが設けられるとともに、それぞれ、基部１の第一ローラー１５１と、第二ローラー１５２と、第三ローラー１５３とに対応する。基部１の第一ローラー１５１と、第二ローラー１５２と、第三ローラー１５３は、それぞれ順番に、支柱７の第一レール７１と、第二レール７２と、第三レール７３に設けられる。基部１は、第一ローラー１５１と、第二ローラー１５２と、第三ローラー１５３の３ヵ所で押さえられることによって、安定して支柱７を線状移動することができる。支柱７には、更に、滑車ユニット７４と、牽引ワイヤー７５が取り付けられる。牽引ワイヤー７５は、第一弾性緩衝構造３の第一滑車３２と結合する。また、支柱７は、更に、固定フレーム９が結合して設けられ、固定フレーム９によって所定の物体上（例えば、壁面）に固定される。
【００１３】
本考案の広告幕の防風モジュールは、二つ一組の形態を成して、それぞれ対応する二つの支柱７に結合することができる（図１を参照）。なお、使用上の需要に応じて、基部１は、支柱７の上部、あるいは、底部の位置に固定することができる。
【００１４】
本考案の実施例において、第一弾性緩衝構造３の第一滑車３２は、支柱７の牽引ワイヤー７５と結合する。牽引ワイヤー７５を引っ張ると、これに連動して基部１全体が連動して支柱７を上下に滑動する。加えて、基部１は、第二弾性緩衝構造４の鉤ホック４１によって、広告布幕１００の結合孔、あるいは、ワイヤーと係合される。以上の構造により、地上にいる使用者が牽引ワイヤー７５を引っ張るだけで、基部１が連動して所定の固定高度まで上昇すると同時に、これに対応して広告布幕１００全体も所定の固定高度まで上昇するので、高所に上って作業と設置を行う必要がなくなり、補修の際の困難性と高い危険性を解消することができる。
【００１５】
注意すべきなのは、第一弾性緩衝構造３の第一滑車３２が、牽引ワイヤー７５に引っ張られて所定の固定高度まで上昇すると同時に、高度の位置決め点を形成することである。この時、第一弾性緩衝構造３の第一弾性部品３４による緩衝作用によって、基部１は、板状体２を通して第一弾性部品３４を圧迫するとともに、引き続き滑動による移動機能を有することができる。
【００１６】
本考案の実施例は、第一弾性緩衝構造３の第一弾性部品３４が縦向き（Ｙ軸）を呈し、第二弾性緩衝構造４の第二弾性部品４４が横向き（Ｘ軸）を呈し、第三弾性部品４５が前向き（Ｚ軸）を呈して設けられる。これによって、第一弾性緩衝構造３が、基部１の縦向き（Ｙ軸）の滑動に対する緩衝機能を有し、第二弾性緩衝構造４が、広告布幕の横向き（Ｘ軸）及び前向き（Ｚ軸）の移動に対する緩衝機能を有する。広告布幕１００は、異なる方向から空気抵抗による衝撃を受けた時、縦向き（Ｙ軸）に発生した応力が第一弾性緩衝構造３の緩衝作用により解消され、横向き（Ｘ軸）、あるいは、前向き（Ｚ軸）に発生した応力が第二弾性緩衝構造４の緩衝作用により解消される。以上の構造によって、広告布幕１００が異なる方向から受ける空気抵抗による衝撃を減少させることができる。
【００１７】
本考案には、更に、接続部品５が設けられる。接続部品５は、板状体２に結合するとともに、第四ねじ孔５１と、止め具５２とからなる。第四ねじ孔５１は、板状体２の第三ねじ孔２３と対応する。係止部品６が、板状体２の第三ねじ孔２３と、接続部品５の第四ねじ孔５１とを穿設するとともに、止め具５２によって係合されることによって、接続部品５が板状体２に結合する。接続部品５は、接続支柱８に設けられた結合溝８１と嵌合して連接することができる。よって、使用者は必要に応じて、支柱７と所定の接続支柱８を連接して（図１、図２、図５を参照）、異なる形態の広告幕を組み立てて構成することができる。
【符号の説明】
【００１８】
１            基部
１０   嵌め込みスペース
１１   第一壁面
１２   第二壁面
１３   第三壁面
１４   延伸部
１４１ 第一穿孔
１５   ローラーユニット
１５１ 第一ローラー
１５２ 第二ローラー
１５３ 第三ローラー
１６   第一ねじ孔
２            板状体
２１   折り曲げ部
２１１ 第二穿孔
２２   第二ねじ孔
２３   第三ねじ孔
３            第一弾性緩衝構造
３１   位置決めジョイント
３１１ 軸孔
３１２ 軸棒
３１３ 接続スリーブ
３２   第一滑車
３３   第一棒体
３４   第一弾性部品
３５   第一ストッパー
４            第二弾性緩衝構造
４１   鉤ホック
４２   第二棒体
４２１ 第二ストッパー
４３   第三棒体
４３１ 第三ストッパー
４４   第二弾性部品
４５   第三弾性部品
５            接続部品
５１   第四ねじ孔
５２   止め具
６            係止部品
７            支柱
７１   第一レール
７２   第二レール
７３   第三レール
７４   滑車ユニット
７５   牽引ワイヤー
８            接続支柱
８１   結合溝
９            固定フレーム
１００ 広告布幕
【図１】
0003183883.tif 000003
【図２】
0003183883.tif 000004
【図３】
0003183883.tif 000005
【図４】
0003183883.tif 000006
【図５】
0003183883.tif 000007